(57)【要約】【課題】ラックが内周側から外周側に向かうときの速度と、外周側から内周側に向かうときの速度が等しくなるようにして、良好な記録再生特性を維持することが可能な光ピックアップモジュール用ラック、光ピックアップモジュール及び光ディスク装置を提供する。【解決手段】当接部１２は、リードスクリューシャフトと当接する歯部１５が設けられた板１６からなり、当接部１２の両端はＵ字部１８によってラック本体１７に連結された構成となっており、当接部１２とラック本体１７の間にはばね１４が設けられている。当接部１２とラック本体１７とＵ字部１８とは樹脂によって一体成形することができる。  Ｕ字部１８が設けられた領域以外では当接部１２とラック本体１７との間の領域の上側と下側のいずれにも開口を設けている。【選択図】図１
2005216344.tif 000002
【特許請求の範囲】
【請求項１】
光ディスクに対してレーザ光を照射して情報の記録再生を行う光ピックアップが光ディスクの半径方向に移動するように用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部に上向きの外力が加わったときの前記弾性部材の変形形状と下向きの外力が加わったときの前記弾性部材の変形形状がほぼ同等であることを特徴とする光ピックアップモジュール用ラック。
【請求項２】
光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記弾性部材が略上下対称の形状であることを特徴とする光ピックアップモジュール用ラック。
【請求項３】
光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体との間の領域の上側と下側のいずれもが開口となっていることを特徴とする光ピックアップモジュール用ラック。
【請求項４】
光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体とがそれぞれの両端でＵ字部により連結されたものであることを特徴とする光ピックアップモジュール用ラック。
【請求項５】
光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体とがそれぞれの両端で連結部により連結されたものであることを特徴とする光ピックアップモジュール用ラック。
【請求項６】
光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体との間の空間が板状の弾性体によって充填され、前記当接部と前記ラック本体とが前記弾性体によって連結されていることを特徴とする光ピックアップモジュール用ラック。
【請求項７】
請求項１から請求項６のいずれかに記載された光ピックアップモジュール用ラックを用いたことを特徴とする光ピックアップモジュール。
【請求項８】
請求項７に記載の光ピックアップモジュールを搭載したことを特徴とする光ディスク装置。
【発明の詳細な説明】
【技術分野】
【０００１】
本発明は光ピックアップにより光ディスクに情報を記録し再生する際に用いられる光ピックアップモジュール用ラック、光ピックアップモジュール及び光ディスク装置に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
一般的に用いられている光ディスク装置の斜視図を図４に示す。
【０００４】
図４において、１は光ディスク装置で、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。
【０００５】
筐体部２ａと筐体部２ｂとは図示していない係止手段と螺旋などを用いて、互いに強固に固定されている。
【０００６】
光ピックアップモジュール４には光ディスクを回転駆動させるスピンドルモータ５と、スピンドルモータ５から外周にかけて開口６ａを設けた金属製のカバー６と、開口６ａから少なくとも一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク上に光スポットを構成する対物レンズなどが搭載されている。
【０００８】
図５に光ピックアップモジュール４の平面図を示し、図６に光ピックアップモジュール４の部分斜視図を示す。光ピックアップモジュール４は、光ディスクを回転させるスピンドルモータ５と、光ディスクの情報信号を読み取り、光ディスクに情報信号を記録するための光ピックアップが搭載されたキャリッジ７を光ディスクの半径方向に移動させるためのフィード部９とによって構成されている。フィード部９はフィードモータを回転させることによってキャリッジ７が光ディスクの内周側と外周側の間を移動するように構成されている。
【０００９】
１１はラックであり、このラック１１には当接部１２が取り付けられている。当接部１２がリードスクリューシャフト１３に当接し、ラック１１がリードスクリューシャフト１３に沿って移動することによって、キャリッジ７が光ディスクの内周側と外周側との間を移動することが可能となる。
【００１０】
ラックの構造に関しては、高速トラバース動作を可能にすることを目的とした改良に関するものが（特許文献１）に記載されている。
【特許文献１】特許第３２４５５４３号公報
【発明の開示】
【発明が解決しようとする課題】
【００１１】
図７に、従来のラックにおいて、当接部１２がリードスクリューシャフト１３に当接している様子を示す図を示す。当接部１２は図８の従来の当接部を示す図に示すように、Ｕ字状のヒンジが用いられており、リードスクリューシャフト１３に当接する歯部１５が板１６に設けられている。当接部１２とラック本体１７との間にはばね１４が設けられている。
【００１２】
当接部１２によって、リードスクリューシャフト１３の回転運動を、ラック１１の、リードスクリューシャフト１３の軸方向に平行な運動に変換している。図８において、例えばラック１１がディスクの外周側に移動する場合、リードスクリューシャフト１３と当接部１２の当接した部分Ａにおいては、歯部１５の面に垂直な方向の力がリードスクリューシャフト１３から加えられ、そのリードスクリューシャフト１３の軸方向に平行な成分Ｆ1が、ラック１１をそのリードスクリューシャフト１３の軸方向に駆動する。しかし、併せてリードスクリューシャフト１３の軸方向に垂直で板１６に平行な成分Ｆ2が発生する。また、例えばこれとは逆にラック１１がディスクの内周側に移動する場合、リードスクリューシャフト１３と当接部１２の当接した部分Ｂにおいては、リードスクリューシャフト１３の軸方向に平行な成分Ｆ3が、ラック１１をそのリードスクリューシャフト１３の軸方向に駆動する。しかし、併せてリードスクリューシャフト１３の軸方向に垂直で板１６に平行な成分Ｆ4が発生する。
【００１３】
したがってラック１１がリードスクリューシャフト１３に沿って移動する際に、リードスクリューシャフト１３から歯部１５に対して力Ｆ2やＦ4がはたらいて当接部１２が変形するが、この変形の様子は、ラック１１が内周側から外周側に向かうときと、外周側から内周側に向かうときとで異なっている。
【００１４】
このときの従来の光ピックアップモジュール用ラックの当接部の変形のパターンを示す図を図９に示す。当接部１２とラック本体１７の連結部１９が、図中下側にはあって、上側にはない為、ラック１１が外周側から内周側に向かうときは、当接部１２には、上方向の力Ｆ4がはたらき、連結部１９がヒンジの役割をして変形時の支点となる。その結果、図９（ａ）に示すように当接部１２の上側は、ラック本体１７に近づく方向にスムーズに変形する。この変形が起こると、２つの面の間に設けられたばね１４によって変形をもとに一定の復元する力がはたらいて変形を解消することができ、ラック１１はスムーズに移動することができる。
【００１５】
これに対し、ラック１１が内周側から外周側に向かうときは、当接部１２の歯部１５には、下方向の力Ｆ2がはたらき、連結部１９がヒンジの役割ができずその結果、図９（ｂ）に示すよう当接部１２は下方に押し下げられる方向に変形する。このように変形すると、ラック部が食い込み、ヒンジ部の座屈変形による反力が直接スクリューシャフト１３に作用し、ラック１１のスクリューシャフト１３への押圧力が増大し、ばね１４によっては変形を解消することができず、ラック１１が移動しようとするときに引っ掛かりを生じ、スムーズに移動することができなくなる。
【００１６】
このように、ラック１１が外周側から内周側に向かうときと、内周側から外周側に向かうときとで当接部１２の変形のパターンが異なっているため、ラック１１が外周側から内
周側に向かうときの速度と、内周側から外周側に向かうときの速度が異なるという事態が生じる。この問題は、特に光ディスク装置の小型化が進むにつれて小形のラック１１が用いられることに伴って顕著となっている。光ディスク装置における情報の記録再生が正確に行われるためには、光ディスクに対するキャリッジの移動速度が適正に保たれることが必要であり、キャリッジの移動速度にばらつきがあると光ディスク装置の記録再生特性に悪影響を及ぼす。
【００１７】
本発明は、上記の課題を解決するためになされたもので、ラックが内周側から外周側に向かうときの速度と、外周側から内周側に向かうときの速度が等しくなるようにして、良好な記録再生特性を維持することが可能な光ピックアップモジュール及び光ディスク装置を提供することを目的とする。
【課題を解決するための手段】
【００１８】
本発明は、上記の課題を解決するためになされたもので、光ディスクに対してレーザ光を照射して情報の記録再生を行う光ピックアップが光ディスクの半径方向に移動するように用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部に上向きの外力が加わったときの前記弾性部材の変形形状と下向きの外力が加わったときの前記弾性部材の変形形状がほぼ同等であることを特徴とする光ピックアップモジュール用ラックである。
【００１９】
ラックが光ディスクの外周側から内周側に向かう際に当接部を上側に押し上げる成分を持つ力がはたらくときには、当接部の上側は、ラック本体に近づく方向に変形し、この変形は弾性部材による復元力によって解消することができる。一方、ラックが内周側から外周側に向かう際に当接部を下側に押し下げる方向に力がはたらくときには、当接部の下側は、ラック本体に近づく方向に変形し、この変形は弾性部材による復元力によって解消することができる。従って、いずれの場合においても、当接部に加えられた力による当接部の変形は、弾性部材による復元力によって解消することができ、ラックの移動を、内周側から外周側に向かうときと、外周側から内周側に向かうときのいずれの場合にもスムーズに行うことができる。
【発明の効果】
【００２０】
本発明によると、ラックの移動を、光ディスクの内周側から外周側に向かうときと、外周側から内周側に向かうときのいずれの場合にもスムーズに行うことができ、良好な記録再生特性を維持することが可能な光ピックアップモジュール及び光ディスク装置を実現することができる。
【発明を実施するための最良の形態】
【００２１】
本発明の請求項１の発明は、光ディスクに対してレーザ光を照射して情報の記録再生を行う光ピックアップが光ディスクの半径方向に移動するように用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部に上向きの外力が加わったときの前記弾性部材の変形形状と下向きの外力が加わったときの前記弾性部材の変形形状がほぼ同等であることを特徴とする光ピックアップモジュール用ラックである。
【００２２】
ラックが光ディスクの外周側から内周側に向かう際に当接部を上側に押し上げる成分を持つ力がはたらくときには、当接部の上側は、ラック本体に近づく方向に変形し、この変形は弾性部材による復元力によって解消することができる。一方、ラックが内周側から外周側に向かう際に当接部を下側に押し下げる方向に力がはたらくときには、当接部の下側
は、ラック本体に近づく方向に変形し、この変形は弾性部材による復元力によって解消することができる。従って、いずれの場合においても、当接部に加えられた力による当接部の変形は、弾性部材による復元力によって解消することができ、ラックの移動を、内周側から外周側に向かうときと、外周側から内周側に向かうときのいずれの場合にもスムーズに行うことができる。
【００２３】
本発明の請求項２の発明は、光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記弾性部材が略上下対称の形状であることを特徴とする光ピックアップモジュール用ラックである。
【００２４】
弾性部材が略上下対称の形状であることによって、ラックが外周側から内周側に向かう際に上側に押し上げる成分を持つ力がはたらくときも、ラックが内周側から外周側に向かう際に下側に押し下げる方向に力がはたらくときも、当接部に加えられた力による当接部の変形は、弾性部材による復元力によって解消することができ、ラックの移動を、内周側から外周側に向かうときと、外周側から内周側に向かうときのいずれの場合にもスムーズに行うことができる。
【００２５】
本発明の請求項３の発明は、光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体との間の領域の上側と下側のいずれもが開口となっていることを特徴とする光ピックアップモジュール用ラックである。
【００２６】
当接部とラック本体との間の領域の上側と下側のいずれもが開口となっていることにより、リードスクリューシャフトと当接する歯部に上下方向の力が加わったとき、変形する支点は当接部の両端にあるため、ラックが外周側から内周側に向かう際に上側に押し上げる成分を持つ力がはたらくときも、ラックが内周側から外周側に向かう際に下側に押し下げる方向に力がはたらくときも、変形のしかたは同様もしくは異なるとしても上下対称な違いとなる。従って、いずれの場合においても、当接部に加えられた力による当接部の変形は、弾性部材による復元力によって解消することができ、ラックの移動を、内周側から外周側に向かうときと、外周側から内周側に向かうときのいずれの場合にもスムーズに行うことができる。
【００２７】
本発明の請求項４の発明は、光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体とがそれぞれの両端でＵ字部により連結されたものであることを特徴とする光ピックアップモジュール用ラックである。
【００２８】
当接部とラック本体とが両端でＵ字部により連結されているため、Ｕ字部が設けられた領域以外では当接部とラック本体との間の領域の上側と下側のいずれにも開口を設けることができ、ラックの移動を、内周側から外周側に向かうときと、外周側から内周側に向かうときのいずれの場合にもスムーズに行うことができる。
【００２９】
本発明の請求項５の発明は、光ディスクに対してレーザ光を照射して情報の記録再生を
行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体とがそれぞれの両端で連結部により連結されたものであることを特徴とする光ピックアップモジュール用ラックである。
【００３０】
当接部とラック本体とが両端で連結部により連結されているため、当接部とラック本体との間の領域の上側と下側のいずれにも開口を設けることができ、ラックの移動を、内周側から外周側に向かうときと、外周側から内周側に向かうときのいずれの場合にもスムーズに行うことができる。
【００３１】
本発明の請求項６の発明は、光ディスクに対してレーザ光を照射して情報の記録再生を行う光ピックアップを光ディスクの半径方向に移動させるために用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部と前記ラック本体との間の空間が板状の弾性体によって充填され、前記当接部と前記ラック本体とが前記弾性体によって連結されていることを特徴とする光ピックアップモジュール用ラックである。
【００３２】
当接部とラック本体との間の空間が板状の弾性体によって充填されていることにより、ラックの移動を、内周側から外周側に向かうときと、外周側から内周側に向かうときのいずれの場合にもスムーズに行うことができる。
【００３３】
本発明の請求項７の発明は、請求項１の発明から請求項６の発明の光ピックアップモジュール用ラックを用いた光ピックアップモジュールであり、光ピックアップの移動を、光ディスクの内周側から外周側に向かうときと、外周側から内周側に向かうときのいずれの場合にもスムーズに行うことができる。そのため、情報の記録再生品質を高めることができる。
【００３４】
本発明の請求項８の発明は、請求項７の発明の光ピックアップモジュールを搭載した光ディスク装置であり、情報の記録再生品質を高めた光ディスク装置を実現することができる。
【００３５】
以下、本発明の光ピックアップモジュール用ラックをその実施の形態に基づいて説明する。
【００３６】
（実施の形態１）
図１は本発明の実施の形態１に係る光ピックアップモジュール用ラックを示す図である。
【００３７】
図１において、当接部１２は、リードスクリューシャフト１３と当接する歯部１５が設けられた板１６からなり、当接部１２の両端はＵ字部１８によってラック本体１７に連結された構成となっており、当接部１２とラック本体１７の間にはばね１４が設けられている。当接部１２とラック本体１７とＵ字部１８とは樹脂によって一体成形することができる。
【００３８】
この当接部１２は、従来のものでは図９に示したように、ラック１１が内周側から外周側に向かうときと、外周側から内周側に向かうときとで変形のパターンが異なることを改善したものである。すなわち、従来の当接部は歯部１５の近傍にＵ字状のヒンジが用いられており、上側には開口がある一方、下側には開口がない形状であり、上下方向に対称で
はない。そのため、図９（ａ）においてＦ4に示すように、上側に押し上げる成分を持つ力がはたらくときと、図９（ｂ）においてＦ2に示すように、下側に押し下げる方向に力がはたらくとことでは変形のしかたが異なってしまう。
【００３９】
本実施の形態においては、当接部１２を上述の形状とすることで、Ｕ字部１８が設けられた領域以外では当接部１２とラック本体１７との間の領域の上側と下側のいずれにも開口を設けている。そのため、ラック１１が外周側から内周側に向かう際に上側に押し上げる成分を持つ力がはたらくときには、板１６の上側は、ラック本体１７に近づく方向に変形し、この変形はばね１４による復元力によって解消することができる。一方、ラック１１が内周側から外周側に向かう際に下側に押し下げる成分を持つ力がはたらくときには、板１６の下側は、ラック本体１７に近づく方向に変形し、この変形はばね１４による復元力によって解消することができる。従って、いずれの場合においても、板１６に加えられた力による板１６の変形は、ばね１４による復元力によって解消することができ、ラック１１の移動を、内周側から外周側に向かうときと、外周側から内周側に向かうときのいずれの場合にもスムーズに行うことができる。
【００４０】
（実施の形態２）
図２に、本発明の実施の形態２に係る光ピックアップモジュール用ラックを示す図を示す。
【００４１】
図２において、当接部１２は、リードスクリューシャフト１３と当接する歯部１５が設けられた板１６からなり、当接部１２とラック本体１７とはそれぞれの両端でループ状の連結部１９により連結された構成であり、板１６とラック本体１７の間にはばね１４が設けられている。当接部１２と、ラック本体１７と、連結部１９とは樹脂によって一体成形することができる。
【００４２】
本実施の形態においては、当接部１２を上述の形状とすることで当接部１２とラック本体１７との間の領域の上側と下側のいずれにも開口を設けてあり、連結部１９の形状は上下対称な形状をしている。リードスクリューシャフト１３と当接する歯部１５に同様に上下方向の力が加わったとき、変形する支点は当接部１２の両端にあるため、ラック１１が外周側から内周側に向かう際に上側に押し上げる成分を持つ力がはたらくときも、ラック１１が内周側から外周側に向かう際に下側に押し下げる方向に力がはたらくときも、変形のしかたは同様もしくは異なるとしても上下対称な違いとなる。したがって、ラック１１が内周側から外周側に向かう場合も外周側から内周側に向かう場合も、ラック１１の変形によるリードスクリューシャフト１３の回転駆動に対する負荷は同等となる。
【００４３】
なお、本実施の形態では、連結部１９はラック１１の移動方向両端に設けているが、ラック１１の移動方向に垂直方向両端すなわちラック１１の上下に設ける構成であっても良い。これによっても、連結部１９の形状は上下対称な形状であり、ラック１１が内周側から外周側に向かう場合も外周側から内周側に向かう場合も、変形のしかたは同様もしくは異なるとしても上下対称な違いとなる。したがって、ラック１１が内周側から外周側に向かう場合も外周側から内周側に向かう場合も、ラック１１の変形によるリードスクリューシャフト１３の回転駆動に対する負荷は同等となる。但しこの場合、連結部１９により、ラック１１の上下方向の寸法は増加する。
【００４４】
（実施の形態３）
図３に、本発明の実施の形態３に係る光ピックアップモジュール用ラックを示す図を示す。
【００４５】
図３において、当接部１２は、リードスクリューシャフト１３と当接する歯部１５が設
けられた板１６からなり、板１６とラック本体１７の間の空間を充填する板状の弾性体２０によってラック本体１７と連結されている。弾性体２０は弾性を有するものであれば特に限定されないが、例えばゴムによって形成することができる。
【００４６】
本実施の形態においては、板１６とラック本体１７とは板状の弾性体２０によって連結される構成となっており、板１６の端部に連結部を有しない。したがって、ラック１１が外周側から内周側に向かう際に上側に押し上げる成分を持つ力がはたらくときも、ラック１１が内周側から外周側に向かう際に下側に押し下げる方向に力がはたらくときも、変形のしかたは同様もしくは異なるとしても上下対称な違いとなる。したがって、ラック１１が内周側から外周側に向かう場合も外周側から内周側に向かう場合も、ラック１１の変形によるリードスクリューシャフト１３の回転駆動に対する負荷は同等となる。
【００４７】
なお、本発明の光ピックアップモジュール用ラックの構造は以上説明したものに限定されるものではなく、当接部１２とラック本体１７とが対向して配置され、その間に弾性部材が設けられた構成であり、当接部１２とラック本体１７との間の領域の上側と下側のいずれもが開口となっているものであれば、当接部１２とラック本体１７との連結手段は他のものであってもよい。
【００４８】
さらに、当接部１２とラック本体１７との間の連結部形状が、上下対称であれば変形のしかたは同様もしくは異なるとしても上下対称な違いとなるため、連結手段は他のものであってもよい。また、当接部１２とラック本体１７との間の連結部形状が、上下対称でなくとも、当接部１２に平行な上方向の外力が歯部１５に加わったときと、当接部１２に平行な下方向の外力が歯部１５に加わったときの、外力とラック１１の変形量の関係が同等であれば、ラック１１が内周側から外周側に向かう場合も外周側から内周側に向かう場合も、ラック１１の変形によるリードスクリューシャフト１３の回転駆動に対する負荷は同等となり、同等の効果を得ることができる。
【産業上の利用可能性】
【００４９】
本発明は、光ピックアップにより光ディスクの情報を記録再生する光ディスク装置として利用することができ、光ピックアップが光ディスクの外周側から内周側へ移動するときの速度と、光ディスクの内周側から外周側へ移動するときの速度とを同等とすることができ、記録再生品質を高めることができる。
【図面の簡単な説明】
【００５０】
【図１】本発明の実施の形態１に係る光ピックアップモジュール用ラックを示す図
【図２】本発明の実施の形態２に係る光ピックアップモジュール用ラックを示す図
【図３】本発明の実施の形態３に係る光ピックアップモジュール用ラックを示す図
【図４】光ディスク装置の斜視図
【図５】光ピックアップモジュールの平面図
【図６】光ピックアップモジュールの部分斜視図
【図７】従来のラックにおいて、当接部がリードスクリューシャフトに当接している様子を示す図
【図８】従来の当接部を示す図
【図９】従来の光ピックアップモジュール用ラックの当接部の変形のパターンを示す図
【符号の説明】
【００５１】
１    光ディスク装置
２    筐体
２ａ、２ｂ    筐体部
３    トレイ
３ａ    レール
３ｂ    レール保持部
３ｃ    開口
４    光ピックアップモジュール
５    スピンドルモータ
６    カバー
６ａ    開口
７    キャリッジ
８    ベゼル
９    フィード部
１２    当接部
１３    リードスクリューシャフト
１４    ばね
１５    歯部
１６    板
１７    ラック本体
１８    Ｕ字部
１９    連結部
２０    弾性体
【図１】
2005216344.tif 000003
【図２】
2005216344.tif 000004
【図３】
2005216344.tif 000005
【図４】
2005216344.tif 000006
【図５】
2005216344.tif 000007
【図６】
2005216344.tif 000008
【図７】
2005216344.tif 000009
【図８】
2005216344.tif 000010
【図９】
2005216344.tif 000011